(57)【要約】【課題】  簡易な構成で、記録媒体のシャッターを確実に開閉することができるシャッター開閉機構及びディスク装置を実現する。【解決手段】  開閉可能なシャッター１０５が設けられたディスクカートリッジ１００を往復移動可能に保持するホルダ８と、シャッター１０５に設けられた保持穴１０５Ａに対し自身の弾性力によって付勢されて嵌まり込み、ホルダ８に装着されたディスクカートリッジ１００の往復移動に抗してシャッター１０５を保持して開閉させるシャッター保持手段３０と、シャッター保持手段３０がシャッター１０５を保持して開閉させるとき、当該シャッター１０５を保持する保持力を向上させる保持力向上手段３３とをシャッター開閉機構２０に設けた。【選択図】        図３
2006031878.tif 000002
【特許請求の範囲】
【請求項１】
開閉可能なシャッターが設けられたディスクカートリッジを往復移動可能に保持するホルダと、
上記シャッターに設けられた保持穴に対し自身の弾性力によって付勢されて嵌まり込み、上記ホルダに装着された上記ディスクカートリッジの往復移動に抗して上記シャッターを保持することにより当該シャッターを開閉させるシャッター保持手段と、
上記シャッター保持手段が上記シャッターを保持して開閉させるとき、当該シャッターを保持する保持力を向上させる保持力向上手段と
を具えることを特徴とするシャッター開閉機構。
【請求項２】
上記保持力向上手段は、上記シャッター保持手段が上記シャッターを保持して開閉させるとき、当該シャッター保持手段の変形を規制して上記付勢力を増加させることにより上記保持力を向上させる
ことを特徴とする請求項１に記載のシャッター開閉機構。
【請求項３】
開閉可能なシャッターが設けられたディスクカートリッジを往復移動可能に装着するホルダと、
上記シャッターに設けられた保持穴に対し自身の弾性力によって付勢されて嵌まり込み、上記ホルダに装着された上記ディスクカートリッジの往復移動に抗して上記シャッターを保持することにより当該シャッターを開閉させるシャッター保持手段と、
上記シャッター保持手段が上記シャッターを保持して開閉させるとき、当該シャッターを保持する保持力を向上させる保持力向上手段と
を具えることを特徴とするディスク装置。
【請求項４】
上記保持力向上手段は、上記シャッター保持手段が上記シャッターを保持して開閉させるとき、当該シャッター保持手段の変形を規制して上記付勢力を増加させることにより上記保持力を向上させる
ことを特徴とする請求項３に記載のディスク装置。
【発明の詳細な説明】
【技術分野】
【０００１】
本発明はシャッター開閉機構及びディスク装置に関し、例えばミニディスクプレーヤに適用して好適なものである。
【背景技術】
【０００２】
ミニディスクのディスクカートリッジにはシャッターが設けられており、ディスクカートリッジの持ち運び時において当該シャッターが閉じられて内蔵するディスク状記録媒体を保護するとともに、ディスクカートリッジがディスクプレーヤに装着された際には当該シャッターが開けられてディスク状記録媒体に対するアクセスを行うようになされている。
【０００３】
かかるディスクカートリッジのシャッターには当該シャッターを保持するための保持穴が設けられており、ディスクカートリッジがディスクプレーヤのホルダに挿入される際、当該ディスクプレーヤに設けられたシャッター保持部材の保持突起がシャッターの保持穴に嵌まり込んで当該シャッターを保持することにより、シャッターをディスクカートリッジに対して開かせる。
【０００４】
また、ディスクカートリッジがディスクプレーヤから排出される際にも、当該シャッター保持部材の先端がシャッターの保持穴に嵌まり込んで当該シャッターを保持することにより、シャッターをディスクカートリッジに対して閉じさせる。
【０００５】
かかるシャッター保持部材は、一般に板金をプレス加工して形成された板バネが用いられており、その先端にプレス成形された凸形状の保持突起がシャッター保持部材自体の弾性力によって付勢されてシャッターの保持穴に押圧されることにより、当該シャッターを保持するようになされている（例えば、特許文献１・段落番号〔０００２〕〜〔０００８〕、図３〜図６参照）。
【特許文献１】特開２００２−１５７８０２公報
【発明の開示】
【発明が解決しようとする課題】
【０００６】
上述したシャッター保持部材は、ディスクカートリッジがホルダに挿入される際、カートリッジケースの外形部分に沿って外側にたわみ、ディスクカートリッジの移動に応じて当該シャッター保持部材の保持突起がカートリッジケースの外形部分を摺動した後に、シャッターの保持穴に嵌まりこむ。
【０００７】
ここで、カートリッジケースに対するシャッターの摺動抵抗に抗して当該シャッターを開閉させるためには、シャッター保持部材の保持突起をシャッターに対して確実に付勢する必要があり、このため当該付勢力は大きいことが望ましい。
【０００８】
ところがこの付勢力が過大だと、ディスクカートリッジの着脱時において保持突起がカートリッジケースの外形部分やシャッター自体に対して過大に押圧されてしまい、これにより当該ディスクカートリッジの着脱フィーリングが悪化してしまうとともに、当該外形部分やシャッターが保持突起によって削られてしまうという問題があった。
【０００９】
本発明は以上の点を考慮してなされたもので、簡易な構成で、記録媒体のシャッターを確実に開閉することができるシャッター開閉機構及びディスク装置を提案しようとするものである。
【課題を解決するための手段】
【００１０】
かかる課題を解決するため本発明においては、開閉可能なシャッターが設けられたディスクカートリッジを往復移動可能に保持するホルダと、シャッターに設けられた保持穴に対し自身の弾性力によって付勢されて嵌まり込み、ホルダに装着されたディスクカートリッジの往復移動に抗してシャッターを保持することにより当該シャッターを開閉させるシャッター保持手段と、シャッター保持手段がシャッターを保持して開閉させるとき、当該シャッターを保持する保持力を向上させる保持力向上手段とをシャッター開閉機構に設けた。
【００１１】
そして保持力向上手段は、シャッター保持手段がシャッターを保持して開閉させるとき、当該シャッター保持手段の変形を規制して付勢力を増加させることにより保持力を向上させるようにした。
【００１２】
シャッターを開閉させる際、保持力向上手段によってシャッター保持手段の変形を規制して保持力を向上させることにより、ディスクカートリッジをホルダに着脱する際にはシャッター保持手段の付勢力を弱めて当該シャッター保持手段がディスクカートリッジに傷を付けることを防止し、シャッターを開閉する際にはシャッター保持手段の付勢力を増加させて保持力を向上させ、確実にシャッターを開閉することができる。
【発明の効果】
【００１３】
本発明によれば、シャッター保持手段がシャッターを保持して開閉させるとき、保持力向上手段によって当該シャッター保持手段の変形を規制して保持力を向上させるようにしたことにより、ディスクカートリッジをホルダに着脱する際にはシャッター保持手段の付勢力を弱めて当該シャッター保持手段がディスクカートリッジに傷を付けることを防止し、シャッターを開閉する際にはシャッター保持手段の保持力を向上させて確実にシャッターを開閉することができる簡易な構成のシャッター開閉機構及びディスク装置を実現することができる。
【発明を実施するための最良の形態】
【００１４】
以下、図面について、本発明の一実施の形態を詳述する。
【００１５】
（１）ポータブルミニディスクプレーヤの外観構成
図１及び図２において、１は全体として本発明のシャッター開閉機構を搭載したディスク装置としてのミニディスクプレーヤ１を示し、直径６４ｍｍのディスク状記録媒体を回転可能に収納したミニディスクのディスクカートリッジ１００（図２）を装着対象とし、当該ディスクカートリッジ１００のディスク１０４から楽曲データを再生するようになされている。
【００１６】
このミニディスクプレーヤ１は、本体ケース２と、当該本体ケース２の後端部を支点として回動自在に支持されたカバー体３とによって構成され、ディスクカートリッジ１００の挿入時又は排出時にはカバー体３を本体ケース２から所定角度まで開放し、ディスクカートリッジ１００の再生時には本体ケース２をカバー体３によって閉塞するようになされている。
【００１７】
本体ケース２には、カバー体３を閉塞位置から開放位置まで回動させるためのオープンスライダ４、ヘッドフォンジャック５及び各種機器を接続するためのコネクタ６がその周側面に設けられている。なお本体ケース２には、図示しないが再生動作や音量調節等の各種操作ボタンも設けられている。一方カバー体３には、その表面に再生時間やバッテリ残量等を表示するための液晶ディスプレイでなる表示部７が設けられている。
【００１８】
なおミニディスクプレーヤ１においては、ディスクカートリッジ１００を挿入する方向を後方向とし、ディスクカートリッジ１００を排出する方向を前方向と定義すると共に、ディスクカートリッジ１００を挿入する側にユーザが対峙した状態において右側を右方向及び左側を左方向として定義した上で以下説明する。
【００１９】
このミニディスクプレーヤ１（図２）は、本体ケース２の内部にメカシャーシ１０が配置されており、当該メカシャーシ１０の後端部を支点としてホルダ８が回動自在に支持されている。ホルダ８はディスクカートリッジ１００を保持するためのものであり、本体ケース２に対してカバー体３が回動する際に連動して開閉動作し、カバー体３が閉じた状態でディスクカートリッジ１００のディスク状記録媒体１０４をメカシャーシ１０のディスクテーブル（図示せず）に装着する装着位置と、カバー体３が開いた状態でディスクカートリッジ１００をホルダ８に挿入及び排出する挿脱位置との間を遷移するようになされている。
【００２０】
また本体ケース２は、その前面部に沿ったほぼ中央位置に、オープンスライダ４に対するスライド機構に連動したロック爪９が設けられており、カバー体３の前面内部に設けられたロック部材１１にロック爪９が係合されることにより、カバー体３と本体ケース２とを閉塞状態（図１）にロックし、ディスクカートリッジ１００を装着位置に位置決めするようになされている。
【００２１】
またミニディスクプレーヤ１は、閉塞状態においてオープンスライダ４をスライド操作したときには、ロック爪９とロック部材１１との係合が解除されることにより、図示しないバネ部材の作用によってカバー体３がメカシャーシ１０に対して開放状態まで回動してディスクカートリッジ１００を排出するための挿脱位置に戻るようになされている。
【００２２】
ここでディスクカートリッジ１００は、矩形状の扁平な箱状でなるカートリッジケース１０３内にディスク状記録媒体１０４が回転可能に収納されて構成され、当該カートリッジケース１０３の上面及び下面に設けられた開口部（図示せず）を開閉するシャッター１０５がスライド自在に設けられている。
【００２３】
またディスクカートリッジ１００には、カートリッジケース１０３におけるシャッター１０５が取り付けられている部分の側面に、当該ディスクカートリッジ１００の着脱方向にわたって延びる溝１０６が形成されるとともに、当該カートリッジケース１０３の下面には位置決め穴１０１及び１０２が設けられている。
【００２４】
さらに、シャッター１０５の側面部には保持穴１０５Ａが設けられており、ディスクカートリッジ１００がミニディスクプレーヤ１のホルダ８に装着される際、当該ホルダ８に設けられたシャッター保持部材３０の先端の保持突起３１が保持穴１０５Ａに係合して保持することにより、シャッター１０５をカートリッジケース１０３に対して開かせる。
【００２５】
また、ディスクカートリッジ１００がミニディスクプレーヤ１のホルダ８から脱着される際にも、保持突起３１が保持穴１０５Ａを保持することによりシャッター１０５をカートリッジケース１０３に対して閉じさせる。
【００２６】
なお、このシャッター保持部材３０のバネ力量値は従来に比して低く設定されており（すなわちバネが柔らかい）、これにより保持突起３１がカートリッジケース１０３やシャッター１０５を削って損傷を与えることがないようになされている。
【００２７】
（２）ミニディスクプレーヤのシャッター開閉機構
次に、ミニディスクプレーヤ１におけるシャッターの開閉機構を詳細に説明する。図３に示すように、ミニディスクプレーヤ１のシャッター開閉機構２０はホルダ８とイジェクトレバー４０とで構成される。
【００２８】
ホルダ８は金属製の板状部材が所定形状に折り曲げられることにより形成され、天板部２２と、当該天板部２２の左右両側縁からそれぞれ下方に延設された側面部２３（一方のみ示す）と、当該側面部２３の下縁からホルダ内方に向けて突設された受板部２４（一方のみ示す）とからなり、前端の開口部が挿入口８Ａとして形成されている。
【００２９】
ホルダ８の右側の側面部２３には、当該側面部２３を切り欠くようにして形成された略帯板状のシャッター保持部材３０が設けられている。このシャッター保持部材３０の先端には、ホルダ８の内方に向けて凸型にプレス成形された保持突起３１が設けられており、シャッター保持部材３０自身の弾性力によって保持突起３１が付勢されて保持穴１０５Ａに嵌まり込むことにより、シャッター１０５を保持する。また側面部２３の後方には、イジェクトレバー４０を後退端で保持するためのストッパ２６が設けられている。
【００３０】
さらに、シャッター保持部材３０における根元部３０Ａと保持突起３１との中間部からは、天板部２２に向けて略Ｓ字状の規制部材３２が設けられており、当該規制部材３２の先端には、天板部２２に対して直角かつディスクの着脱方向と平行な板状部材でなる溝当接部３３が設けられている。詳しくは後述するが、この溝当接部３３は、イジェクトレバー４０の位置に応じてシャッター保持部材３０の変位を規制することにより当該シャッター保持部材３０のバネ力量値を向上させ、これによりディスクカートリッジ１００のシャッター１０５を確実に保持し得るようにする。
【００３１】
そしてガイド穴４１の後端には、当該ガイド穴４１を右方向に拡大してなる逃がし穴４３が設けられている。
【００３２】
さらにイジェクトレバー４０の後端にはホルダ８の内方に向けて腕部４６が延接され、当該腕部４６の端部にはディスク当接部４７が設けられており、ホルダ８に装着されたディスクカートリッジ１００のカートリッジケース１０３の端部がディスク当接部４７に当接するようになされている。
【００３３】
またイジェクトレバー４０の右側方には切り欠き状のバネ掛部４４が設けられており、当該バネ掛部４４とホルダ８の右側前方に設けられたバネ掛部２５との間に引張バネ４５が張設されることにより、イジェクトレバー４０が常時ディスク排出方向に付勢される。これによりホルダ８にディスクカートリッジ１００が挿入されていない状態においては、図４及び図５に示すように、イジェクトレバー４０はガイド穴４１及び４２による移動範囲一杯の前進端まで前進している。
【００３４】
そしてホルダ８にディスクカートリッジ１００が挿着されると、まず図６に示すようにカートリッジケース１０３の角部が保持突起３１に当接し、これによりシャッター保持部材３０がたわみつつ外方に押し出される。このときイジェクトレバー４０は前進端にあることから、シャッター保持部材３０の溝当接部３３はイジェクトレバー４０の逃がし穴４３の内部に位置し、このため当該溝当接部３３はシャッター保持部材３０の変位を規制せず、シャッター保持部材３０は根元部３０Ａから保持突起３１に至る全長に渡って変形することができる。
【００３５】
このため保持突起３１がカートリッジケース１０３及びシャッター１０５に加える加圧力は、シャッター保持部材３０の低いバネ力量値に応じた低い値となり、これによりディスクカートリッジ１００の挿入時に保持突起３１がカートリッジケース１０３及びシャッター１０５を削ってしまうことを防ぐことができる。
【００３６】
そして、この状態からディスクカートリッジ１００が挿入されていくと、図７に示すように、ディスク当接部４７にカートリッジケース１０３の角部が当接するとともに、シャッター保持部材３０の保持突起３１がシャッター１０５の保持穴１０５Ａに嵌まり込み、これによりシャッター保持部材３０はそのたわみが解除されるとともに、シャッター１０５はシャッター保持部材３０によってホルダ８に対する位置を固定される。
【００３７】
この状態からさらにディスクカートリッジ１００が挿入されると、ディスク当接部４７がカートリッジケース１０３に押圧されることにより、図８に示すようにイジェクトレバー４０はディスクカートリッジ１００とともに後方へ移動を開始する。このイジェクトレバー４０の後退期間において、シャッター１０５はシャッター保持部材３０によってホルダ８に対する位置が固定されていることから、ディスクカートリッジ１００の移動に取り残されるようにして開いていく。
【００３８】
さらにこのイジェクトレバー４０の後退期間においては、シャッター保持部材３０の溝当接部３３はイジェクトレバー４０のガイド穴４１の右側内壁に当接していることから、シャッター保持部材３０は保持力向上手段としての溝当接部３３によって変位が規制され、規制部材３２から保持突起３１までの限られた範囲でのみ変形が許される。このため保持突起３１がシャッター１０５に加える加圧力は、図４〜図７に示すイジェクトレバー４０の前進状態に比べて格段に大きい値となり、これによりシャッター保持部材３０はシャッター１０５を確実に保持し、開閉抵抗に抗して当該シャッター１０５を開かせることができる。
【００３９】
そしてディスクカートリッジ１００がホルダ８の奥まで完全に挿入されると、図９に示すようにイジェクトレバー４０は後進端まで移動してホルダ８のストッパ２６とイジェクトレバー４０の腕部４６とが係合し、これによりイジェクトレバー４０は後退位置で保持される。
【００４０】
この状態でカバー体３を押し下げて本体ケース２を閉塞することにより、ディスクカートリッジ１００はホルダ８とともに装着位置に回動され、当該ディスクカートリッジ１００はメカシャーシ１０（図２）のディスクテーブルに装着されて再生可能状態となる。
【００４１】
この状態からオープンスライダ４がスライド操作されると、ロック爪９及びロック部材１１（図２）の係合が解除されてホルダ８が着脱位置まで回動し、このときホルダ８のストッパ２６とイジェクトレバー４０の腕部４６との係合も解除される。
【００４２】
これによりイジェクトレバー４０は、引張バネ４５（図３）の付勢力によってディスクカートリッジ１００とともに前進し、ディスク挿入完了状態（図１０）からイジェクトレバー移動状態（図８）を経て、図７に示すシャッター開閉開始状態まで移動する。このイジェクトレバー４０の前進期間において、シャッター１０５はシャッター保持部材３０によってホルダ８に対する位置が固定されていることから、ディスクカートリッジ１００の移動に取り残されるようにして閉じていく。
【００４３】
さらにこのイジェクトレバー４０の前進期間においては、シャッター保持部材３０の溝当接部３３がイジェクトレバー４０のガイド穴４１の右側内壁に当接していることから、シャッター保持部材３０は保持力向上手段としての溝当接部３３によって変位が規制され、これによりシャッター保持部材３０はシャッター１０５を確実に保持し、開閉抵抗に抗して当該シャッター１０５を閉じさせることができる。
【００４４】
そして、イジェクトレバー４０がシャッター開閉開始状態（図７）にまで復帰すると、ユーザはディスクカートリッジ１００を脱着することができる。このシャッター開閉開始状態においては、シャッター保持部材３０の溝当接部３３がイジェクトレバー４０の逃がし穴４３の内部に移動することから、溝当接部３３によるシャッター保持部材３０の変位規制が解除され、これにより当該シャッター保持部材３０は根元部３０Ａから保持突起３１に至る全長に渡って変形することができる。
【００４５】
このため保持突起３１がカートリッジケース１０３及びシャッター１０５に加える加圧力は、シャッター保持部材３０の低いバネ力量値に応じた低い値となり、これによりディスクカートリッジ１００の脱着時に保持突起３１がカートリッジケース１０３及びシャッター１０５を削ってしまうことを防ぐことができる。
【００４６】
（３）動作及び効果
以上の構成において、シャッター開閉機構２０は、ホルダ８に対するディスクカートリッジ１００の挿着が開始されると、まず、前進端にあるイジェクトレバー４０のディスク当接部４７にカートリッジケース１０３の角部が当接するまでの間、当該ディスクカートリッジ１００の移動に応じて、シャッター保持部材３０の保持突起３１がカートリッジケース１０３及びシャッター１０５の側面を摺動していく（図６）。
【００４７】
このときイジェクトレバー４０は前進端にあり、シャッター保持部材３０の溝当接部３３は当該イジェクトレバー４０の逃がし穴４３の内部に位置していることから、シャッター保持部材３０は溝当接部３３による規制を受けることなく全長に渡って外側へ変形することができ、このため保持突起３１がカートリッジケース１０３及びシャッター１０５に与える加圧力はシャッター保持部材３０の低いバネ力量値に応じた低い値となり、これによりディスクカートリッジ１００を挿着する際に保持突起３１がカートリッジケース１０３及びシャッター１０５を削ってしまうことを防ぐことができる。
【００４８】
そして、イジェクトレバー４０のディスク当接部４７にカートリッジケース１０３の角部が当接するのとほぼ同時に、シャッター保持部材３０の保持突起３１がシャッター１０５の保持穴１０５Ａに嵌まり込み、当該シャッター１０５はホルダ８に対する位置を固定される（図７）。この状態からさらにディスクカートリッジ１００が挿入されると、イジェクトレバー４０はディスクカートリッジ１００とともに後退する一方、シャッター保持部材３０によってその位置を固定されているシャッター１０５はカートリッジケース１０３に対して開いていく。
【００４９】
このイジェクトレバー４０の後退期間すなわちシャッター１０５が開いていく期間においては、シャッター保持部材３０の溝当接部３３がイジェクトレバー４０のガイド穴４１の右側内壁に当接していることから、当該シャッター保持部材３０は溝当接部３３によって変位が規制され、規制部材３２から保持突起３１までの限られた範囲でのみ変形が許される。このため保持突起３１がシャッター１０５に加える加圧力は増大し、これによりシャッター保持部材３０はシャッター１０５を確実に保持して、開閉抵抗に抗して当該シャッター１０５を確実に開かせることができる。
【００５０】
また、後退端で保持されているイジェクトレバー４０の腕部４６とホルダ８のストッパ２６との係合が解除されると、イジェクトレバー４０は引張バネ４５の付勢力によってディスクカートリッジ１００とともに前進する一方、シャッター保持部材３０によってその位置を固定されているシャッター１０５はカートリッジケース１０３に対して閉じていく。
【００５１】
このイジェクトレバー４０の前進期間すなわちシャッター１０５が閉じていく期間においても、シャッター保持部材３０の溝当接部３３がイジェクトレバー４０のガイド穴４１の右側内壁に当接していることから、当該シャッター保持部材３０は溝当接部３３によって変位が規制され、規制部材３２から保持突起３１までの限られた範囲でのみ変形が許される。このため保持突起３１がシャッター１０５に加える加圧力は増大し、これによりシャッター保持部材３０はシャッター１０５を確実に保持して、開閉抵抗に抗して当該シャッター１０５を確実に閉じさせることができる。
【００５２】
さらに、イジェクトレバー４０の前進端においてホルダ８からディスクカートリッジ１００を脱着する際にも、シャッター保持部材３０の溝当接部３３は当該イジェクトレバー４０の逃がし穴４３の内部に位置していることから、シャッター保持部材３０は溝当接部３３による規制を受けることなく全長に渡って外側へ変形することができ、このため保持突起３１がカートリッジケース１０３及びシャッター１０５に与える加圧力はシャッター保持部材３０の低いバネ力量値に応じた低い値となり、これによりディスクカートリッジ１００を脱着する際に保持突起３１がカートリッジケース１０３及びシャッター１０５を削ってしまうことを防ぐことができる。
【００５３】
以上の構成によれば、シャッター１０５を保持して開閉させるためのシャッター保持部材３０を従来に比して柔らかく構成することにより、ディスクカートリッジ１００をホルダ８から着脱する際に、保持突起３１がカートリッジケース１０３及びシャッター１０５を破損することを防止できる。
【００５４】
また、シャッター保持部材３０の変位を規制するための溝当接部３３を当該シャッター保持部材３０の中間部近傍に設け、シャッター１０５の開閉時において当該溝当接部３３をイジェクトレバー４０のガイド穴４１の内壁に当接させることによりシャッター保持部材３０の変形を規制し、シャッター開閉時においてシャッター１０５を確実に保持して、開閉抵抗に抗して当該シャッター１０５を確実に開閉させることができる。
【００５５】
（４）他の実施の形態
なお上述の実施の形態においては、シャッター保持部材３０がホルダ８と一体に形成されている場合に付いて述べたが、本発明はこれに限らず、別体のシャッター保持部材３０がホルダ８に接続されて形成されているようにしてもよい。
【００５６】
また上述の実施の形態においては、シャッター保持部材３０の溝当接部３３がイジェクトレバー４０のガイド穴４１の内壁に当接することにより、シャッター保持部材３０の変位を規制するようにしたが、本発明はこれに限らず、要はシャッター開閉時にシャッター保持部材３０の変位を規制できれば、他の種々の構成でシャッター開閉機構２０を構成してもよい。
【００５７】
さらに上述の実施の形態においては、本発明をミニディスクプレーヤ１におけるディスクカートリッジ１００のシャッター開閉機構２０に適用した場合について述べたが、本発明はこれに限らず、ブルーレイディスクやＤＶＤ−ＲＡＭ（Digital Versatile Disc-Read Only Memory）等のディスク状記録媒体が格納された他の種々のディスクカートリッジのシャッターを開閉させるシャッター開閉機構に広く適用できる。
【産業上の利用可能性】
【００５８】
本発明のシャッター開閉機構及びディスク装置は、ディスク状記録媒体を収納するカートリッジに設けられたシャッターを確実に開閉する用途に適用することができる。
【図面の簡単な説明】
【００５９】
【図１】本発明のシャッター開閉機構を有するミニディスクプレーヤの外観構成を示す略線的斜視図である。
【図２】ミニディスクプレーヤにディスクカートリッジが装着される様子を示す略線的斜視図である。
【図３】シャッター開閉機構の説明に供する略線的斜視図である。
【図４】ディスク未挿入状態を示す略線的斜視図である。
【図５】ディスク未挿入状態を示す略線図である。
【図６】ディスク挿入開始状態を示す略線図である。
【図７】シャッター開閉開始状態を示す略線図である。
【図８】イジェクトレバー移動状態を示す略線図である。
【図９】イジェクトレバー移動状態を示す略線的斜視図である。
【図１０】ディスク挿入完了状態を示す略線図である。
【符号の説明】
【００６０】
１……ミニディスクプレーヤ、２……本体ケース、３……カバー体、４……オープンスライダ、８……ホルダ、２０……シャッター開閉機構、３０……シャッター保持部材、３１……保持突起、１００……ディスクカートリッジ、１０３……カートリッジケース、１０４……ディスク状記録媒体、１０５……シャッター、１０５Ａ……保持穴。
【図１】
2006031878.tif 000003
【図２】
2006031878.tif 000004
【図３】
2006031878.tif 000005
【図４】
2006031878.tif 000006
【図５】
2006031878.tif 000007
【図６】
2006031878.tif 000008
【図７】
2006031878.tif 000009
【図８】
2006031878.tif 000010
【図９】
2006031878.tif 000011
【図１０】
2006031878.tif 000012